(57)【要約】【課題】  複数の記憶媒体に同じ撮影画像を記録するときに生じる問題を未然に防ぐことができるようにする。【解決手段】  同時記録モードであって、カードスロット３１及びカードスロット３２の両方にメモリカードが装着されている場合に、ＣＰＵ１１７は、カードスロット３１及びカードスロット３２のうち少なくともいずれかにマイクロドライブＭＤが装着されているか否かを判別し、マイクロドライブＭＤが装着されていれば、温度センサ１１９により測定されるデジタルカメラ１の温度が予め設定された基準値以下か否かを判別して、デジタルカメラ１の温度が基準値以下であれば、画像データの記録を行わずに、表示器２０に画像データが記録できないことを使用者に警告する表示を行う。【選択図】  図４
2006313978.tif 000002
【特許請求の範囲】
【請求項１】
複数の記憶媒体が装着可能であるとともに、画像情報を前記複数の記憶媒体のうちいずれか一つの記憶媒体に記録する通常記録モード及び複数の記憶媒体に同時に記録する同時記録モードが選択可能な撮像装置であって、
温度を計測する温度計測手段と、
同時記録モード動作の可否を判定するために前記温度計測手段の出力と予め設定された基準値とを比較する比較手段とを有することを特徴とする撮像装置。
【請求項２】
前記比較手段は、同時記録モード選択時に動作することを特徴とする請求項１に記載の撮像装置。
【請求項３】
前記比較手段は、同時記録モード選択時であって、所定の記憶媒体が装着されたときに動作することを特徴とする請求項１に記載の撮像装置。
【請求項４】
前記比較手段による結果が、同時記録モード動作が不可とされた場合に警告する警告手段を有することを特徴とする請求項１〜３のいずれか１項に記載の撮像装置。
【請求項５】
前記比較手段による結果が、同時記録モード動作が不可とされた場合に通常記録モードに変更するモード変更手段を有することを特徴とする請求項１〜４のいずれか１項に記載の撮像装置。
【請求項６】
複数の記憶媒体が装着可能であるとともに、画像情報を前記複数の記憶媒体のうちいずれか一つの記憶媒体に記録する通常記録モード及び複数の記憶媒体に同時に記録する同時記録モードを選択可能とした撮像装置の制御方法であって、
前記撮像装置内のコンピュータが、同時記録モード動作の可否を判定するために前記温度計測手段の出力と予め設定された基準値とを比較する比較手順を実行することを特徴とする制御方法。
【請求項７】
複数の記憶媒体が装着可能であるとともに、画像情報を前記複数の記憶媒体のうちいずれか一つの記憶媒体に記録する通常記録モード及び複数の記憶媒体に同時に記録する同時記録モードが選択可能な撮像装置を制御するためのコンピュータプログラムであって、
同時記録モード動作の可否を判定するために前記温度計測手段の出力と予め設定された基準値とを比較する比較処理をコンピュータに実行させることを特徴とするコンピュータプログラム。
【発明の詳細な説明】
【技術分野】
【０００１】
本発明は、複数の記憶媒体が装着可能であるとともに、画像情報を前記複数の記憶媒体のうちいずれか一つの記憶媒体に記録する通常記録モード及び複数の記憶媒体に同時に記録する同時記録モードが選択可能な撮像装置、制御方法及びコンピュータプログラムに関する。
【背景技術】
【０００２】
従来、複数の記憶媒体が装着可能なデジタルカメラが知られている（例えば、特許文献１参照）。このデジタルカメラでは、同一の撮影画像を複数の記憶媒体の一つに記録する通常記録モードと、複数の記憶媒体に記録する同時記録モードを有する。
【０００３】
また、デジタルカメラ等の撮像装置の記憶媒体としては、ハードディスク装置、メモリカード等が知られている。これらの記憶媒体は、記録容量、データ書き込み速度、消費電力及び動作保証限界温度等の特性がそれぞれ異なる。例えば、コンパクトフラッシュ（登録商標）のTypeIIに準拠するマイクロドライブは、コンパクトフラッシュ（登録商標）と同じサイズのハードディスク装置であり、記憶容量が大きいが、消費電力及び動作保証限界温度が高いという特性を有する。
【０００４】
【特許文献１】特開平７−２３１４２０号公報
【発明の開示】
【発明が解決しようとする課題】
【０００５】
しかしながら、従来のデジタルカメラでは、撮影画像を複数の記憶媒体に記録するときの温度が何れかの記憶媒体の動作保証限界温度より低い場合、そのメモリカードには画像データが正常に記録されない可能性があるという問題がある。しかも、その場合、その旨を使用者に通知しなければ、使用者に何れの記憶媒体の撮影画像が正常なのかが分からないという問題もある。
【０００６】
そこで、本発明は、複数の記憶媒体に同じ撮影画像を記録するときに生じる問題を未然に防ぐことができるようにすることを目的とする。
【課題を解決するための手段】
【０００７】
本発明に係る撮像装置は、複数の記憶媒体が装着可能であるとともに、画像情報を前記複数の記憶媒体のうちいずれか一つの記憶媒体に記録する通常記録モード及び複数の記憶媒体に同時に記録する同時記録モードが選択可能な撮像装置であって、温度を計測する温度計測手段と、同時記録モード動作の可否を判定するために前記温度計測手段の出力と予め設定された基準値とを比較する比較手段とを有する点に特徴を有する。
本発明に係る制御方法は、複数の記憶媒体が装着可能であるとともに、画像情報を前記複数の記憶媒体のうちいずれか一つの記憶媒体に記録する通常記録モード及び複数の記憶媒体に同時に記録する同時記録モードを選択可能とした撮像装置の制御方法であって、前記撮像装置内のコンピュータが、同時記録モード動作の可否を判定するために前記温度計測手段の出力と予め設定された基準値とを比較する比較手順を実行する点に特徴を有する。
本発明に係るコンピュータプログラムは、複数の記憶媒体が装着可能であるとともに、画像情報を前記複数の記憶媒体のうちいずれか一つの記憶媒体に記録する通常記録モード及び複数の記憶媒体に同時に記録する同時記録モードが選択可能な撮像装置を制御するためのコンピュータプログラムであって、同時記録モード動作の可否を判定するために前記温度計測手段の出力と予め設定された基準値とを比較する比較処理をコンピュータに実行させる点に特徴を有する。
【発明の効果】
【０００８】
本発明によれば、温度計測手段の出力と予め設定された基準値とを比較し、同時記録モード動作の可否を判定するようにしたので、同時記録モードでの動作をより確実に行うことができ、画像情報の記録ミスを未然に防ぐことができる。
【発明を実施するための最良の形態】
【０００９】
以下、添付図面を参照して、本発明の好適な実施形態について説明する。
（第１の実施形態）
図１及び図２に、本実施形態における撮像装置の外観を示す。本実施形態では、撮像装置の一例としてデジタルカメラを採用する。しかしながら、本実施形態は、デジタルカメラだけでなく、デジタルカメラとして動作することができる装置（デジタルビデオカメラ、カメラ付き携帯電話等）にも適用できることは言うまでもない。図１は、本実施形態におけるデジタルカメラ１の平面図、図２はデジタルカメラ１の背面図である。図１及び図２において、１はデジタルカメラ、２はファインダー観察用の接眼窓である。
【００１０】
３はＡＥ（自動露出）ロックボタンである。４はＡＦ（オートフォーカス）の測距点選択ボタンである。５はデジタルカメラ１を縦位置に構えたときに使用する縦位置用ＡＥ（自動露出）ロックボタンであり、ＡＥロックボタン３と同一の機能を有する。６もデジタルカメラ１を縦位置に構えたときに使用する縦位置用の測距点選択ボタンであり、測距点選択ボタン４と同一の機能を有する。
【００１１】
７は撮影操作を行うためのレリーズボタンであり、第１ストロークでレリーズスイッチ１がオンし、第２ストロークでレリーズスイッチ２がオンする構成となっている。
【００１２】
８はメイン電子ダイヤルであり、他の操作ボタンと併用して、数値を入力したり、撮影モードを切り換えたりすることが可能となる。９は撮影モード選択ボタンである。１０はＡＦモード選択ボタンである。１１は測光モード選択ボタンであり、調光補正ボタンも兼ねる。
【００１３】
１２はＬＣＤ（液晶表示器）等の表示器であり、撮影条件等を表示する外部表示機能を備える。この表示器１２に各表示領域に表示される情報については、図３を参照して後述する。
【００１４】
１３は表示器１２の裏面に設置された不図示のバックライト照明装置をオン／オフするための表示パネル照明ボタンである。１４は露出の補正を行うための露出補正ボタンである。
【００１５】
１５は不図示のアイピースシャッターを駆動させるためのアイピースシャッターレバーである。このアイピースシャッターレバー１５を時計方向に回動させることにより、不図示のアイピースシャッターが接眼窓２を覆い接眼窓２からの入光を防ぐことができる。１６は視度の調整を行うための視度補正ダイヤルである。この視度補正ダイヤル１６を回転させることにより、不図示の視度補正レンズが駆動し、視度調整を行うことができる。
【００１６】
１７はメイン電子ダイヤル８と同様の機能を有するサブ電子ダイヤルである。撮影モード選択ボタン９とメイン電子ダイヤル８によりマニュアルモードが設定されたときには、絞り値の入力設定を行い、プログラムモード（Ｐ）・シャッター優先モード（Ｔｖ）・絞り優先モード（Ａｖ）が設定されたときには、測光した適正露出に対し、制御露光量を変更する露出補正量の入力設定を行うものである。１８はサブ電子ダイヤル１７による入力機能をロックするダイヤルロックスイッチ、１９はデジタルカメラ１の全ての動作を禁止するメインスイッチである。
【００１７】
２０はＬＣＤ（液晶表示器）等の表示器であり、撮影された画像を表示する際やデジタルカメラ１の設定状態等を表示する。本実施形態における表示器２０は透過型であるため、表示器２０の駆動だけでは画像を視認することはできず、必ずその裏面に不図示のバックライト照明装置が必要である。
【００１８】
２１は撮影画像の画像データ等を記録するためのメモリカードが挿入されているカードスロットを選択するためのカードスロット選択ボタンである。このカードスロット選択ボタン２１を押した後、サブ電子ダイヤル１７を回転させることにより、メモリカードの選択を行うことができる。
【００１９】
２２はカメラの初期設定を行う際に各種モードを選択するためのメニューボタンである。２３は選択ボタンである。各モードを選択するときは、このメニューボタン２２を押しながらサブ電子ダイヤル１７を回転させて希望のモードを選択する。希望のモードが選択されたときに、メニューボタン２２を離すと選択が完了する。その後、選択したモードの機能をオン／オフするためには、選択ボタン２３を押しながらサブ電子ダイヤル１７を回転させてオン／オフのいずれかを選択後、選択ボタン２３を離すことで選択が完了する。
【００２０】
２４はメモリカード内に記録されている画像データを表示器２０に表示するためのディスプレイボタンである。このディスプレイボタン２４を押しながらサブ電子ダイヤル１７を回転させることで、画像データが順次表示器２０に表示され、希望の画像を選択後、ディスプレイボタン２４を離すことで選択が完了し、表示器２０に表示される。
【００２１】
２５はメモリカードに記録されている画像データを消去するための消去ボタンであり、ディスプレイボタン２４とサブ電子ダイヤル１７にて画像を選択後、消去ボタン２５を押すことで画像データの消去が可能である。
【００２２】
２６は撮影した画像データの圧縮率や画像サイズ等を選択する記録画質選択ボタンである。メニューボタン２２とサブ電子ダイヤル１７とで画質変更モードを選択後、記録画質選択ボタン２６とサブ電子ダイヤル１７にて希望の圧縮率や画像サイズを選択し、記録画質選択ボタン２６を離すことで選択が完了する。
【００２３】
２７は予めカメラ内に記憶されているホワイトバランス調整値を選択するためのホワイトバランス選択ボタンである。メニューボタン２２とサブ電子ダイヤル１７とでホワイトバランス変更モードを選択後、ホワイトバランス選択ボタン２７とサブ電子ダイヤル１７にて希望のホワイトバランス調整値を選択し、ホワイトバランス選択ボタン２７を離すことで選択が完了する。
【００２４】
２８はカードスロットカバー開閉つまみ、２９はカードスロットカバーであり、カードスロットカバー開閉つまみ２８を反時計方向に回すことで、カードスロットカバー２９が開放され、中に収納されているメモリカードの装着や取り外しを行うことが可能となる。
【００２５】
３０はアクセスランプで装着されているメモリカードに撮影画像の画像データを書き込むときや、メモリカードに書き込まれた画像データを読み出すとき等のメモリカードにアクセス中であるときは点滅を行う。さらに、デジタルカメラ１に搭載されたアクセスランプ３０は、２つの異なる色での発光が可能である。これにより、２枚のメモリカードが装着されているときは、アクセスしているメモリカードによってアクセスランプ３０の色を変えることできるので、使用者はいずれのメモリカードへアクセスしているかを確認することができる。
【００２６】
３１はデジタルカメラ１のグリップ部内に配置された第１のカードスロットである。３３は第１のカードスロット３１に装着されているメモリカードを取り外すための、第１のカード取り外しボタンである。カードスロット３１は、コンパクトフラッシュ（登録商標）、マイクロドライブ等のメモリカードを装着できるように構成されている。コンパクトフラッシュ（登録商標）は不揮発性メモリを記憶媒体とするメモリカードであり、マイクロドライブは小型のハードディスク装置を記憶媒体とするメモリカードである。カードスロット３１の内部には、コンパクトフラッシュ（登録商標）、マイクロドライブ等のメモリカードにアクセスするためのメディアインターフェースがあることは言うまでもない。
【００２７】
３２はデジタルカメラ１のグリップ部内に配置された第２のカードスロットである。３３は第２のカードスロット３２に装着されているメモリカードを取り外すための、第２のカード取り外しボタンである。カードスロット３２は、ＳＤメモリカード等のメモリカードを装着できるように構成されている。ＳＤメモリカードは不揮発性メモリを記憶媒体とするメモリカードである。カードスロット３２の内部には、ＳＤメモリカード等のメモリカードにアクセスするためのメディアインターフェースがあることは言うまでもない。
【００２８】
３５は、デジタルカメラ１を駆動させるためのバッテリである。
【００２９】
次に、図３を参照して、表示器１２の各表示領域に表示される情報について説明する。図３において、１２ａは撮影モードの状態の表示領域であり、ここではマニュアルモードが選択されている状態が表示されている。１２ｂは絞り値の表示領域であり、絞り値が７セグメントにて表示される。１２ｃはシャッタースピードの表示領域であり、シャッタースピードが７セグメントにて表示される。
【００３０】
１２ｄは撮影可能枚数の表示領域である。１２ｈは現在選択されているカードスロットを示す表示領域である。デジタルカメラ１は、カードスロット３１及び３２に装着されたメモリカードに同一の撮影画像の画像データを記録する『同時記録モード』と、カードスロット３１及び３２の何れかに装着されたメモリカードに撮影画像の画像データを記録する『通常記録モード』とを有し、使用者はそれらを自由に選択することができるように構成されている。『同時記録モード』が選択されているとき、表示領域１２ｈには『ＣＦ』及び『ＳＤ』の両方が表示され、表示領域１２ｄにはカードスロット３１及び３２に装着されているメモリカードの撮影可能枚数のうち、最も小さい方が表示される。また、『通常記録モード』が選択されているとき、表示領域１２ｈには『ＣＦ』及び『ＳＤ』の何れかが表示され、表示領域１２ｄには選択されているカードスロットに装着されているメモリカードの撮影可能枚数が表示される。デジタルカメラ１は、使用者がカードスロット３１を選択しているときは表示領域１２ｈに『ＣＦ』を表示し、使用者がカードスロット３２を選択しているときは表示領域１２ｈに『ＳＤ』を表示する。
【００３１】
１２ｅはＡＦモードの状態の表示領域である。１２ｆはドライブモードの状態の表示領域である。１２ｇは露出補正量の表示領域であり、露出補正量がドットにて表示され、１ドットが１／３段を表している。１２ｊはバッテリ３５の残り容量の目安の表示領域である。１２ｋは測光モードの状態の表示領域である。
【００３２】
図４は、本実施形態におけるデジタルカメラ１の内部構成を示すブロック図である。デジタルカメラ１は、不図示のマウントを介してデジタルカメラ１に装着された撮影レンズ１５０、撮像レンズ１５０を駆動するレンズ駆動装置１２２、メカニカルシャッター装置１２１、撮像素子１００、アナログ信号処理回路１０１、Ａ／Ｄ変換器１０２、メイン信号処理回路１０３、メモリ１０８、Ｄ／Ａ変換器１０９、表示器２０、圧縮／解凍回路１１２、メモリカード１１４及び１１６、コントロール回路１２０、及びＣＰＵ（中央演算処理回路）１１７等から構成される。
【００３３】
撮像素子１００は、撮影レンズ１５０により結像された被写体像を撮像して電気信号に変換する。この撮像素子１００としては、公知の２次元型撮像素子が用いられる。撮像素子には、ＣＣＤ型、ＭＯＳ型、ＣＩＤ型等の様々な形態があり、いずれの形態の撮像素子を採用してもよいが、本実施形態においては、光電変換素子（フォトセンサ）が２次元的に配置され、各フォトセンサで蓄積された信号電荷が垂直転送路及び水平転送路を介して出力されるインターライン型ＣＣＤ（電荷結合素子）の撮像素子が採用される。また、撮像素子１００は、各フォトセンサに蓄積される電荷の蓄積時間（シャッター秒時）を制御する、いわゆる電子シャッター機能（電子シャッター手段）を有する。
【００３４】
表示器２０は、透過形であるため、外部映像表示装置の駆動だけでは、画像を視認することはできず、必ずその裏面には不図示のバックライト照明装置が必要である。また、表示器２０には、映像の表示以外にカードスロット選択ボタン２１、メニューボタン２２、選択ボタン２３、ディスプレイボタン２４の操作に応じて対応するメニュー・設定項目・選択項目等が表示されるようになっている。
【００３５】
１５０は被写体像を結像面に結像させる撮影レンズであり、デジタルカメラ１に着脱可能に構成されている。本図では簡略化してあるが、１枚又は複数枚のレンズで構成され、単一の焦点距離（固定焦点）のレンズでもよいし、ズームレンズやステップズームレンズ等のように焦点距離可変のレンズでもよい。
【００３６】
１２１はメカニカルシャッター装置であり、被写体像の結像面への入射時間を機械的に制御するものである。このメカニカルシャッター装置１２１は、ファインダー観察時には被写体像を遮光し且つ撮影時にはレリーズ信号に応じて被写体像の光路から退避して露光を開始させる先羽根群と、ファインダー観察時には被写体像の光路から退避し且つ撮影時には先羽根群の走行（駆動）開始後に所定のタイミングで被写体像を遮光する後羽根群とを有するフォーカルプレーンシャッターである。
【００３７】
１２２は被写体像を結像面に結像させるために撮影レンズ１５０を駆動するためのレンズ駆動装置である。１２３は露出制御を行うための絞り羽根群１５１を駆動するための絞り駆動装置である。
【００３８】
１２４は測光装置であり、不図示のフォーカシングスクリーンに結像された被写体像の輝度を、不図示の光学部材を介して測定するものであり、この測光装置１２４の出力信号に基づいて露光時の露出制御を行うようになっている。１２５は焦点検出装置であり、この焦点検出装置１２５の出力信号に基づいて撮影レンズ１５０のレンズ駆動装置１２２を制御し、結像レンズ１５０にて焦点調節を行う。
【００３９】
１２６はレリーズボタン７の第１ストロークによりオンするレリーズスイッチ１である。１２７はレリーズボタン７の第２ストロークによりオンするレリーズスイッチ２である。レリーズスイッチ１がオンされると測光制御・合焦制御が行われ、レリーズスイッチ２がオンされるとレリーズ動作が開始される。
【００４０】
１２８はメイン電子ダイヤル８の回転に連動して信号を発生するメイン電子ダイヤルスイッチである。メイン電子ダイヤル８の回転で、例えば９０°位相のずれた２ビットの信号をスイッチセンス回路に送ることにより、回転方向と回転クリック数が検出される。この回転方向と回転クリック数を検出することで、他の操作ボタンと併用して、カメラに数値を入力したり、撮影モードを切り換えたりすることが可能となる。
【００４１】
１２９はサブ電子ダイヤル１７の回転に連動して信号を発生するサブ電子ダイヤルスイッチである。サブ電子ダイヤル１７の回転で、例えば９０°位相のずれた２ビットの信号をスイッチセンス回路に送ることにより、回転方向と回転クリック数が検出される。この回転方向と回転クリック数を検出することで、他の操作ボタンと併用して、カメラに数値を入力したり、撮影モードを切り換えたりすることが可能となる。
【００４２】
１３０はカードスロット選択ボタン２１を押し込むとオンするスロット選択スイッチである。カードスロット選択ボタン２１を押し込み、スロット選択スイッチ１３０をオンさせた状態でサブ電子ダイヤル１７を操作して、撮像データの保存先・再生データの取得先・データ管理するスロットを選択する。
【００４３】
１３１はメニューボタン２２を押し込むとオンするメニュースイッチである。メニューボタン２２を押し込み、メニュースイッチ１３１をオンさせ、サブ電子ダイヤル１７を操作することで設定項目を選択することができる。このときの設定項目の表示は、表示器２０にて行われる。
【００４４】
１３２は選択ボタン２３を押し込むとオンするＳＥＬＥＣＴ（選択）スイッチである。選択ボタン２３を押し込み、ＳＥＬＥＣＴ（選択）スイッチ１３２をオンさせ、サブ電子ダイヤル１７を操作することメニューボタン２２で選択した設定項目の設定値を変更することができる。このときの設定項目の設定値の表示は、表示器２０にて行われる。
【００４５】
１３３はディスプレイボタン２４を押し込むとオンするディスプレイスイッチである。ディスプレイボタン２４を押し込み、ディスプレイスイッチ１３３をオンさせると、表示器２０にメモリカードに入っている画像を表示する。
【００４６】
１３４は消去ボタン２５を押し込むとオンする消去スイッチである。表示器２０に画像が表示されているときに消去ボタン２５を押し込み、消去スイッチ１３４をオンさせると、表示されている画像データをメモリカード上から削除することができる。また、消去スイッチ１３４をオンさせたままの状態で保持すると、外部画像表示装置１１０にメモリカードに保存された画像データを一括消去するかどうか問い合わせるメニューが表示され、サブ電子ダイヤル１７を操作して、一括消去を選択し、消去ボタン２５を解放し、消去スイッチ１３４をオフさせると、メモリカード内の画像データを一括消去することが可能となる。
【００４７】
１３５はカードスロットカバー２９の開閉に応じてオン／オフするスロットカバー開閉検出スイッチである。
【００４８】
１３８は露出補正ボタン１４を押し込むとオンする露出補正スイッチである。露出補正スイッチ１３８をオンさせた状態でメイン電子ダイヤル８を操作すると、露出補正値を設定することができる。
【００４９】
１３９は表示パネル照明ボタン１３を押し込むとオンする表示パネル照明スイッチである。表示パネル照明スイッチ１３９がオンすると、表示器１２を裏面から照明し、表示器１２の各表示領域に表示されている情報を暗闇でも読み取れるようにする。
【００５０】
１４２はダイヤルロックスイッチ１８の操作によってオン／オフされるサブ電子ダイヤルスイッチであり、サブ電子ダイヤル１７による入力機能を作動・非作動を設定する。１４３はメインスイッチ１９の操作によってオン／オフされるメインスイッチであり、デジタルカメラ１の全ての動作の作動・非作動を設定する。
【００５１】
１４４はＡＦモード選択ボタン１０を押し込むことによってオンするＡＦモード選択スイッチである。１４５は撮影モード選択ボタン９を押し込むことによってオンする撮影モード選択スイッチである。１４６は測光モード選択ボタン１１を押し込むことによってオンする測光モード選択スイッチであり、調光補正ボタン／スイッチも兼ねている。
【００５２】
例えば、撮影モード選択ボタン９を押しながらメイン電子ダイヤル８を回転させると、Ｔｖ優先→Ａｖ優先→マニアル→プログラム→Ｔｖ優先→Ａｖ優先→マニアル→プログラム…と変更され、使用者の意図するモードに設定することができる。また、メイン電子ダイヤル８を逆回転させたときは、プログラム→マニアル→Ａｖ優先→Ｔｖ優先→プログラム→…とモードは変更される。
【００５３】
撮影モード選択ボタン９とメイン電子ダイヤル８によりＴｖ優先がモードとして設定されている場合には、メイン電子ダイヤル８を回転させることにより使用者の希望するＴｖ値を設定することができる。また、撮影モード選択ボタン９とメイン電子ダイヤル８によりＡｖ優先がモードとして設定されている場合には、メイン電子ダイヤル８を回転させることにより使用者の希望とするＡｖ値を設定することができる。
【００５４】
測光モード選択ボタン１１とＡＦ選択モードボタン１０を同時に押し込んだ状態でメイン電子ダイヤル８を操作すると、撮像時の撮像感度を変更することができる。
【００５５】
測光モード選択ボタン１１と撮影モード選択ボタン９を同時に押し込んだ状態でメイン電子ダイヤル８を操作すると、単写・連写・セルフタイマーのいずれかからドライブモードを選択することができる。
【００５６】
撮影モード選択ボタン９とＡＦモード選択ボタン１０を同時に押し込んだ状態でメイン電子ダイヤル８を操作すると、ＡＥＢ撮影モードのブラケット段数を設定することができる。
【００５７】
１４７はＡＥロックボタン３（又は縦位置用ＡＥロックボタン５）を押し込むことによってオンするＡＥ（自動露出）ロックスイッチである。１４８は測距点選択ボタン４（又は縦位置用測距点選択ボタン６）を押し込むことによってオンするＡＦ（オートフォーカス）の測距点選択スイッチである。
【００５８】
メモリカード１１４は、カードスロット３１に着脱自在である。１３６はスロット１カード検出スイッチであり、カードスロット３１にメモリカード１１４が装着されたときにオンする。
【００５９】
メモリカード１１６は、カードスロット３２に着脱自在である。１３７はスロット２カード検出スイッチであり、カードスロット３２にメモリカード１１６が装着されたときにオンする。
【００６０】
１１９は温度計測手段である温度センサであり、デジタルカメラ１の温度を測定する。１２８はブザーであり、主に撮影時の警告等に用いられる音発生手段である。
【００６１】
１５２はメモリカード１１４もしくはメモリカード１１６へのアクセス状態を表示するためのＬＥＤであり、２色発光タイプとなっており、図２に示したアクセスランプ３０に配置される。
【００６２】
かかる構成のデジタルカメラ１においては、撮影レンズ１５０を透過してきた被写体像は、絞り駆動装置１２３によって駆動される絞り羽根群１５１とメカニカルシャッター装置１２１とでその光量が規制され、撮像素子１００上に投影結像される。このとき、撮像素子１００は、コントロール回路１２０を介して電荷の蓄積時間が制御される。
【００６３】
撮像素子１００の受光面に結像された被写体像は、各フォトセンサで光の入射光量に応じた量の信号電荷に変換され、撮像出力信号として順次読み出された後、アナログ信号処理回路１０１に供給される。アナログ信号処理回路１０１は、ＣＤＳクランプ回路やゲイン調整回路等を含み、撮像素子１００から入力した撮像出力信号（アナログ電気信号）をコントロール回路１２０の制御に基づいて適宜処理する。
【００６４】
アナログ信号処理回路１０１から出力された信号は、Ａ／Ｄ変換器１０２によってデジタル信号に変換された後、メイン信号処理回路１０３へ送られる。メイン信号処理回路１０３は、ゲイン調整回路１０４、オフセット回路１０５、ヒストグラム生成回路１０７及びデジタル信号処理回路１０６等からなる。
【００６５】
Ａ／Ｄ変換器１０２から出力されたデータは、ゲイン調整回路１０４及びオフセット回路１０５を経由して、ヒストグラム生成回路１０７及びデジタル信号処理回路１０６へ送られる。ヒストグラム生成回路１０７は、Ａ／Ｄ変換器１０２から送られた１画面分のデータから信号レベルに対する撮像素子信号の積算値の分布を示すヒストグラムを作成する。そして、このヒストグラム演算に基づいてゲイン値やオフセット値が決定され、ＣＰＵ１１７からコントロール回路１２０を介してゲイン及びオフセットが制御される。
【００６６】
このようにゲインとオフセットのコントロールを経由した信号は、デジタル信号処理回路１０６に送られる。デジタル信号処理回路１０６は、輝度（Ｙ）信号生成回路及び色差（Ｃ）信号生成回路を含み、オフセット回路１０５から入力した信号をＹ／Ｃ信号処理する。そして、デジタル信号処理回路１０６でＹ／Ｃ信号処理された画像データは、メモリ１０８に一時記憶される。
【００６７】
このメモリ１０８に記憶された画像データはデコードされた後、Ｄ／Ａ変換器１０９でアナログ信号に変換され、画像表示手段としての液晶モニタ等の表示器２０に供給される。こうして、表示器２０には、撮像素子１００で捉えた映像が表示される。この表示器２０には、レリーズボタン７の操作によりオンするレリーズスイッチ２（１２７）によって発せられる撮影開始信号に基づいて撮影した静止画が表示される。なお、Ｄ／Ａ変換器１０９でアナログ信号に変換された信号は、不図示のビデオ出力端子等から外部映像出力１１１として取り出すことができる。
【００６８】
また、撮影開始信号の入力に呼応して取得した本撮像の画像データは、メモリ１０８から圧縮／解凍回路１１２に導かれ、ここで所定の形式（例えば、ＪＰＥＧ）に従って圧縮処理された後、メモリカード１１４もしくはメモリカード１１６に記録される。
【００６９】
メモリカード１１４もしくはメモリカード１１６に記録された画像データは、ＣＰＵ１１７を介して呼び出しが可能であり、該呼び出された画像データは、圧縮／解凍回路１１２で解凍再生処理された後、メモリ１０８、Ｄ／Ａ変換器１０９を介して表示器２０に出力され、または、不図示のビデオ信号出力端子等に供給され、他の外部機器に出力可能である。
【００７０】
ＣＰＵ１１７は、測光装置１２４、焦点検出装置１２５、コントロール回路１２０、ヒストグラム生成回路１０７、デジタル信号処理回路１０６、メモリ１０８、及びメモリカード１１４、メモリカード１１６、各スイッチと接続されており、所定のアルゴリズムに従って露出値、撮影レンズ１５０の焦点位置等の各種演算を行い、自動露光制御、オートフォーカス、オートストロボ、オートホワイトバランス等の制御を総括的に管理する。また、ＣＰＵ１１７は、レリーズボタン７やメイン電子ダイヤル８，サブ電子ダイヤル１７、撮影モード選択ボタン９、ＡＦモード選択ボタン１０、測光モード選択ボタン１１等の操作部から入力される各種信号に基づいて該当する回路を制御する。
【００７１】
測光装置１２４の出力信号はＣＰＵ１１７に送られ、このＣＰＵ１１７において露光時間を示す露出制御値が算出される。そして、得られた露出制御値は、ＣＰＵ１１７からコントロール回路１２０に送られ、該コントロール回路１２０を介して自動露光制御、オートストロボ、オートホワイトバランス等の制御が行われる。
【００７２】
コントロール回路１２０は、ＣＰＵ１１７から送られた露出制御値に基づいて撮像素子１００の駆動回路を制御し、電子シャッター制御モード時には撮像素子１００の電荷蓄積時間を、また、メカニカルシャッター制御モード時にはメカニカルシャッター装置１２１の開閉タイミング等を制御するとともに、露光時に絞り駆動装置１２６を制御する。
【００７３】
次に、図５のフローチャートを用いて、本実施形態におけるデジタルカメラ１の撮影動作について説明する。ステップＳ３００は、デジタルカメラ１のメインスイッチ１４３がオンされた等の要因によりカメラの電源が入った状態であり、ステップＳ３０１から動作を開始する。
【００７４】
ステップＳ３０１において、ＣＰＵ１１７は、レリーズボタン７の第１ストロークが押し下げられレリーズスイッチ１（１２６）がオンしたことを検知すると、ステップＳ３０２において、測光装置１２４を動作させて被写体での反射光を取り込み、Ａ／Ｄ変換して測光情報を得て、露出条件（絞り、シャッタースピード）の演算を行う。
【００７５】
次に、ステップＳ３０３において、ＣＰＵ１１７は、焦点検出モードがオートフォーカスモード（ＡＦ）かマニュアルフォーカスモード（ＭＦ）かを判別し、ＭＦの場合はステップＳ３０５へ進み、ＡＦの場合はステップＳ３０４へ進む。
【００７６】
ステップＳ３０４において、ＣＰＵ１１７は、焦点検出装置１２５を用いて各焦点検出領域のフォーカス情報を算出する。そして、これらの焦点検出結果を基に既存のアルゴリズムでデフォーカス量算出演算を行い、所定領域の焦点検出結果に基づきレンズ駆動量を演算した後に、合焦するようにレンズ駆動装置１２２へレンズ駆動量を通信し、撮影レンズ１５０を駆動し合焦させる。
【００７７】
そして、ステップＳ３０５において、ＣＰＵ１１７は、デジタルカメラ１の状態がレリーズを許可して良い状態か否かの判別を行う。例えば、ＡＦモードが「ワンショットモード」である場合は、上記ステップＳ３０４の測距結果が合焦ならばレリーズは許可され、ステップＳ３０６へ進み、合焦でなければ、ステップＳ３００に戻る。
【００７８】
上記のようにステップＳ３００に戻った後は、必要に応じてモード等の設定を行い、ステップＳ３０１へと進む。そして、レリーズボタン７の第１ストロークが押し下げられレリーズスイッチ１（１２６）がオンしたことを検知すると、再び測光、ＭＦ／ＡＦ判別、測距を行い（ステップＳ３０２、Ｓ３０３、Ｓ３０４）、再度カメラの状態がレリーズを許可して良い状態か否かの判別を行う（ステップＳ３０５）。
【００７９】
ステップＳ３０６において、ＣＰＵ１１７は、レリーズスイッチ２（１２７）がオンしたことを検知すると、撮影動作を行うためにステップＳ３０７に進む。
【００８０】
ステップＳ３０７において、ステップＳ３０２にて算出された露出条件（絞り、シャッタースピード）にて撮像素子１００に露光を行う。そして、ステップＳ３０８において、撮像素子１００に撮像された画像信号を所定の形態の画像データに変換してメモリカード１１４及び１１６のいずれか一方、又は、両方に記録し撮影を終了する。
【００８１】
次に、図６のフローチャートを用いて、図５のフローチャートにおける記録動作（ステップＳ３０８）について説明する。ステップＳ４０１において、ＣＰＵ１１７は、同時記録モードか否かを判別し、通常記録モードであればステップＳ４０５へ進み、事前に選択されているメモリカード（例えば、カードスロット３１が選択されていればメモリカード１１４）へ画像データを記録する。それに対して、同時記録モードであればステップＳ４０２へ進む。
【００８２】
ステップＳ４０２において、ＣＰＵ１１７は、カードスロット３１及びカードスロット３２の両方にメモリカードが装着されているか否かを判別し、両方装着されていればステップＳ４０３へ進み、両方にメモリカードが装着されていなければステップＳ４０７へ進む。
【００８３】
ステップＳ４０３において、ＣＰＵ１１７は、カードスロット３１及びカードスロット３２のうち少なくともいずれかにマイクロドライブＭＤが装着されているか否かを判別し、いずれにもマイクロドライブＭＤが装着されていなければステップＳ４０６へ進み、両方のメモリカードに画像データを記録する。それに対して、少なくともいずれかにマイクロドライブＭＤが装着されていればステップＳ４０４へ進む。
【００８４】
ステップＳ４０４において、ＣＰＵ１１７は、温度センサ１１９により測定されるデジタルカメラ１の温度が予め設定された基準値以下か否かを判別し、基準値より高ければステップＳ４０６へ進む。それに対して、デジタルカメラ１の温度が基準値以下であればステップＳ４０７へ進み、画像データの記録を行わずに、表示器２０に画像データが記録できないことを使用者に警告する表示を行う。本実施形態では、図８に示すように、複数のメモリカードのうち使用不可メモリカードとともに、警告表示を表示器２０にて行うよう構成しているが、それに限らず他の表示装置にて警告を行っても良い。また、警告の方法として、視覚による警告でなく、聴覚による警告でも良い。この基準値は、マイクロドライブＭＤの動作保証限界温度に応じて予め設定されている。
【００８５】
以上述べたように、撮影場所の気温が低い等の理由によりデジタルカメラ１の温度が基準値より低い場合、同時記録モードであって、マイクロドライブＭＤが装着されていれば、マイクロドライブＭＤへの記録を禁止して、表示器２０にて警告表示を行うので、使用者は正常に記録できないことを容易に認識することができる。
【００８６】
（第２の実施形態）
第２の実施形態は、図５のフローチャートにおける記録動作（ステップＳ３０８）を変更したものである。以下では、第１の実施形態との相違点のみ説明し、共通する部分についての説明は省略する。
【００８７】
図７のフローチャートを用いて、第２の実施形態における記録動作について説明する。ステップＳ５０１において、図６のステップＳ４０１と同様に、ＣＰＵ１１７は、同時記録モードか否かを判別し、通常記録モードであればステップＳ５０５へ進み、事前に選択されているメモリカード（例えば、カードスロット３１が選択されていればメモリカード１１４）へ画像データを記録する。それに対して、同時記録モードであればステップＳ５０２へ進む。
【００８８】
ステップＳ５０２において、図６のステップＳ４０２と同様に、ＣＰＵ１１７は、カードスロット３１及びカードスロット３２の両方にメモリカードが装着されているか否かを判別し、両方装着されていればステップＳ５０３へ進み、両方にメモリカードが装着されていなければステップＳ５０８へ進む。
【００８９】
ステップＳ５０３において、図６のステップＳ４０３と同様に、ＣＰＵ１１７は、カードスロット３１及びカードスロット３２のうち少なくともいずれかにマイクロドライブＭＤが装着されているか否かを判別し、いずれにもマイクロドライブＭＤが装着されていなければステップＳ５０６へ進み、両方のメモリカードに画像データを記録する。それに対して、少なくともいずれかにマイクロドライブＭＤが装着されていればステップＳ５０４へ進む。
【００９０】
ステップＳ５０４において、図６のステップＳ４０４と同様に、ＣＰＵ１１７は、温度センサ１１９により測定されるデジタルカメラ１の温度が予め設定された基準値以下か否かを判別し、基準値より高ければステップＳ５０６へ進む。それに対して、デジタルカメラ１の温度が基準値以下であればステップＳ５０７へ進み、画像データの記録を行わずに、表示器２０に画像データが記録できないことを使用者に警告する表示を行った後、ステップＳ５０８へ進む。
【００９１】
ステップＳ５０８において、ＣＰＵ１１７は、同時記録モードを通常記録モードに変更して、ステップＳ５０５と同様に装着されているメモリカードに画像データを記録する。
【００９２】
以上述べたように、撮影場所の気温が低い等の理由によりデジタルカメラ１の温度が基準値より低い場合、同時記録モードであって、マイクロドライブＭＤが装着されていれば、マイクロドライブＭＤへの記録を禁止して、表示器２０にて警告表示を行い、さらに通常記録モードに変更して他のメモリカードへの記録を行うようにしたので、画像データが全く記録されなくなる不都合を避けることができる。
【００９３】
なお、上記第１、２の実施形態では、動作保証限界温度の高いマイクロドライブＭＤを「所定の記憶媒体」としたが、他の記憶媒体であってもよい。また、マイクロドライブＭＤについてのみデジタルカメラ１の温度と基準値とを比較するようにしたが、記憶媒体の種類に応じて基準値を設定しておき、それぞれ比較を行うようにしてもよい。
【００９４】
なお、本発明の実施形態は、上述した実施形態の機能を実現するためのコンピュータプログラムを記録した記憶媒体を、システム或いは装置に供給し、そのシステム或いは装置のコンピュータ（又はＣＰＵやＭＰＵ）が記憶媒体に格納されたコンピュータプログラムを読み出し実行することによっても実現可能であることは言うまでもない。
【００９５】
この場合、記憶媒体から読み出されたコンピュータプログラム自体が上述した実施形態の機能を実現することになり、コンピュータプログラム自体及びそのコンピュータプログラムを記憶した記憶媒体は本発明の実施形態の一例を構成することになる。
【００９６】
コンピュータプログラムを供給するための記憶媒体としては、例えば、フレキシブルディスク、ハードディスク装置、光ディスク、光磁気ディスク、ＣＤ−ＲＯＭ、ＣＤ−Ｒ、磁気テープ、不揮発性のメモリカード、ＲＯＭ等を用いることができる。
【００９７】
また、コンピュータが読み出したコンピュータプログラムを実行することにより、上述した実施形態の機能が実現されるだけでなく、そのコンピュータプログラムの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００９８】
さらに、記憶媒体から読み出されたコンピュータプログラムが、コンピュータに挿入された機能拡張ボードやコンピュータに接続された機能拡張ユニットに備わるメモリに書き込まれた後、そのコンピュータプログラムの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００９９】
【図１】本実施形態における撮像装置の平面図である。
【図２】本実施形態における撮像装置の背面図である。
【図３】本実施形態における撮像装置の表示器に表示される情報について説明するための図である。
【図４】本実施形態における撮像装置の内部構成を示すブロック図である。
【図５】本実施形態における撮像装置の撮影動作の概略について説明するためのフローチャートである。
【図６】第１の実施形態における記録動作について説明するためのフローチャートである。
【図７】第２の実施形態における記録動作について説明するためのフローチャートである。
【図８】警告表示の一例を示す図である。
【符号の説明】
【０１００】
１      デジタルカメラ
７      レリーズボタン
８      メイン電子ダイヤル
１２    表示器
１７    サブ電子ダイヤル
２０    表示器
２１    カードスロット選択ボタン
２９    カードスロットカバー
３０    アクセスランプ
３１    カードスロット
３２    カードスロット
１００  撮像素子
１１４  メモリカード
１１６  メモリカード
１１７  ＣＰＵ
１１９  温度センサ
【図１】
2006313978.tif 000003
【図２】
2006313978.tif 000004
【図３】
2006313978.tif 000005
【図４】
2006313978.tif 000006
【図５】
2006313978.tif 000007
【図６】
2006313978.tif 000008
【図７】
2006313978.tif 000009
【図８】
2006313978.tif 000010